(57)【特許請求の範囲】
【請求項１】
冷蔵庫本体の下部に配設された冷凍室と、
この冷凍室の上に配設された冷蔵室と、
この冷蔵室の奥壁部の左右方向略中央部に配設された制御基板と、
冷却器により冷却された冷気を分流して前記制御基板の左右両側に案内する分路部を有し、前記冷蔵室に冷気を導く冷気ダクトと、
前記制御基板の前面を覆うようにして収納する凸状の基板収納部を有し、前記冷気ダクトを覆うダクトカバーとを備え、
前記ダクトカバーは、
前記冷気ダクトの分路部を通る冷気の量を可変するためのシャッターと、
このシャッターを支持し、前記冷蔵室の幅方向に移動可能な支持・移動機構部と、
前記基板収納部の下部中央部に位置するように前記支持・移動機構部に設けられ、該支持・移動機構部を介して前記シャッターを移動させたときに、前記冷気ダクトの分路部の冷気通過の面積が同時に可変する冷凍室温度調節用の操作つまみと
を備えたことを特徴とする冷蔵庫。
【請求項２】
前記冷蔵室の温度調節ダイアルを前記基板収納部の前面に配設し、前記温度調節ダイアルに接続される温度調節手段を前記制御基板に搭載したことを特徴とする請求項１記載の冷蔵庫。
【請求項３】
前記基板収納部の上方に庫内灯を配設し、前記基板収納部の上部に隣接して前記庫内灯を覆う庫内灯カバーを配設したことを特徴とする請求項１又は２記載の冷蔵庫。
【請求項４】
前記ダクトカバーは、
前記基板収納部の上方に形成され、前記庫内灯と前記庫内灯カバーが設けられた断面円弧形状の庫内灯用凹部と、
この庫内灯用凹部と前記基板収納部の両側に上下に形成された断面円弧形状の凹部と
を備えたことを特徴とする請求項３記載の冷蔵庫。
【請求項５】
前記断面略円弧形状の凹部に冷気吹出し間口を備えたことを特徴とする請求項４に記載の冷蔵庫。
【発明の詳細な説明】
【技術分野】
【０００１】
この発明は冷蔵庫に係り、特に、庫内の容積を大きくするように制御基板を配置した冷蔵庫に関するものである。
【背景技術】
【０００２】
近年、小、中型の容量の冷蔵庫においても、冷凍室の上部に冷蔵室を配置する形態が増えていて、この形態での機種開発が進められている。
【０００３】
一方、従来の冷蔵庫は、本体の上部に形成された冷凍室、冷凍室の下方に形成された冷蔵室、冷蔵室内の上部片側に配設された電気部品収納箱を備え、電気部品収納には、庫内灯、温度センサーなどの電気部品と、電子制御基板とが収納されている。収納箱には壁体とが一体に成形され、これらの壁体と収納箱の側壁体によって電子制御基板が囲われ、この基板が側壁体に固定されている。また、温度調節するボリュームが基板に固定され、基板は、電子制御基板と分離され、この電子制御基板の収納部と独立させて閉塞してある。
また、温度センサーは電子制御基板にリード線で接続され、温度センサーの収納部と基板収納部とが隔離されている（例えば、特許文献１参照）。
【０００４】
【特許文献１】実開昭６４−０１９８９１号公報（第４頁第１８行〜第６頁第１３行、第１図、第２図）
【発明の開示】
【発明が解決しようとする課題】
【０００５】
従来の冷蔵庫は、電気品収納箱が冷蔵室の片側に配置されているため、庫内の容積が小さくなるという問題があった。
【０００６】
また、冷蔵室を冷凍室の上部に配置する形態において冷凍室温度調節シャッターの操作の位置が冷凍室内では操作しにくいという問題があった。
【０００７】
さらに、温度調節用の基板が電子制御基板と分離されており部品点数が多く高価になるという問題があった。
【０００８】
また、庫内灯が固定される電気品収納箱が冷蔵室の片側に配置されているため、冷蔵室を冷凍室の上部に配置する形態においては意匠性が悪いという問題があった。
【０００９】
また、庫内灯が固定される電気品収納箱が冷蔵室の片側に配置されているため、庫内の照明が均一とならないという問題があった。
【００１０】
また、平面部の吹出し間口では、吹出し間口の前面のみ冷やされるという問題があった。
【００１１】
この発明は上記のような課題を解決するためになされたものであり、冷蔵室内への電子制御基板の配置にて庫内の容積を大きくすることを目的とするものである。
【００１２】
また、冷凍室の温度調節の操作性を改善することを目的とするものである。
【００１３】
さらに、冷蔵室温度調節の操作性の改善と部品数削減による安価とすることを目的とするものである。
【００１４】
また、冷蔵室の意匠性を高めることを目的とするものである。
【００１５】
また、冷蔵室内を均一に照明することを目的とするものである。
【００１６】
また、冷蔵室内を均一に冷却することを目的とするものである。
【課題を解決するための手段】
【００１７】
この発明は、冷蔵庫本体の下部に配設された冷凍室と、この冷凍室の上に配設された冷蔵室と、この冷蔵室の奥壁部の左右方向略中央部に配設された制御基板と、冷却器により冷却された冷気を分流して制御基板の左右両側に案内する分路部を有し、冷蔵室に冷気を導く冷気ダクトと、制御基板の前面を覆うようにして収納する凸状の基板収納部を有し、冷気ダクトを覆うダクトカバーとを備え、ダクトカバーは、冷気ダクトの分路部を通る冷気の量を可変するためのシャッターと、このシャッターを支持し、冷蔵室の幅方向に移動可能な支持・移動機構部と、基板収納部の下部中央部に位置するように支持・移動機構部に設けられ、その支持・移動機構部を介してシャッターを移動させたときに、冷気ダクトの分路部の冷気通過の面積が同時に可変する風量調節用の操作つまみとを備えたものである。
【発明の効果】
【００１８】
この発明によれば、冷気ダクトの分路部により、冷却器で冷却された冷気を分流して制御基板の左右両側に案内するようにしたので、制御基板を冷却しながら冷蔵室を均一に冷却することができる。また、ダクトカバーに、冷気ダクトの分路部を通る冷気の量を可変するためのシャッターと、このシャッターを支持し、冷蔵室の幅方向に移動可能な支持・移動機構部と、基板収納部の下部中央部に位置するように支持・移動機構部に設けられ、その支持・移動機構部を介してシャッターを移動させたときに、冷気ダクトの分路部の冷気通過の面積が同時に可変する冷凍室温度調節用の操作つまみとを備えたので、冷凍室内に冷凍室温度調節用の操作つまみが設けられた従来と比べ操作性が向上する。
【発明を実施するための最良の形態】
【００１９】
図１〜１０はこの発明の実施の形態の冷蔵庫を示すもので、図１は冷蔵庫の正面図、図２は冷蔵庫の冷蔵室内側から見た奥部の詳細正面図、図３は図２におけるA−A断面図、図４は図２におけるＢ−Ｂ断面図、図５は基板収納部の斜視図、図６は冷蔵室奥部のダクトカバーと取り付け部品等の斜視図、図７は冷蔵庫の奥壁部を取り除いたときの背面斜視図、図８は図７の要部拡大斜視図、図９は図７の冷気ダクトと電子制御基板等を取り外したときの背面斜視図、図１０は図７のシャッター取付け部の拡大斜視図である。
【００２０】
図１〜３に示すように、冷蔵庫本体１は、鋼板製の外箱１１と樹脂製の内箱１２との間に断熱材１９を発泡充填して構成されており、上が冷蔵室３、下が冷凍室２であり、冷蔵室３には冷蔵室扉５、冷凍室２には冷凍室扉４が設けられている。
また、冷蔵室３の下部に引き出しケース２１が配設され、引出しケース２１の上部に棚２２が配設されている。棚２２の上部、冷蔵室３の奥壁部の左右方向の中央部に電子制御基板９が配設されている。また、冷凍室２背面に冷却器２５と送風機２６が配置され、送風機２６により送風される冷気が冷蔵室３の奥壁部に配設された冷気ダクト２７内を通過して、冷蔵室３内に吐出される。
【００２１】
さらに、冷気ダクト２７の前側にプラスチック製のダクトカバー２８が配設されている。ダクトカバー２８においては、図３、図５、図６に示すように、左右略中央部に、ダクトカバー２８に一体成形された基板収納枠体４０に固定された電子制御基板９の前面を覆うように裏側が凹形状で前面側が凸形状の基板収納凸部２８ｂが設けられることで基板収納部２０が形成される。
【００２２】
基板収納部２０は、図３、図５、図６、図７、図９に示すように、ダクトカバー２８の基板収納部凸部２８ｂの裏側に枠状部材４０を設けることにより形成され、背面側に電子制御基板９が収納され、基板収納部２０の背面をシール材３８で覆っている。また、電子制御基板９奥側の内箱１２に凹部１２ａが設けられている。
また、冷蔵室温度調節ダイアル２３と接続する温度調節手段であるボリューム１４を電子制御基板９の上に搭載して、冷蔵室温度調節ダイアル２３とダイアルの回転部を設けたダクトカバー２８の間のシール材３３にて、温度調節手段であるボリューム１４が通過する穴部をふさいでいる。
また、基板収納部２０の前側に５ｍｍほどの高さの放熱用のリブ３９が設けられている。また、ダクトカバー２８の基板収納部２０は、冷蔵室３の引き出しケース２１の上部になる位置に配置されている。
【００２３】
ダクトカバー２８には、基板収納部２０（基板収納凸部２８ｂ）の上部に隣接して設けられ、冷蔵室３内の照明用庫内灯７が配設されるとともに、庫内灯カバー３４で覆われ、断面が緩やかな円弧状の凹状の庫内灯用凹部２８ｃと、基板収納部凸部２８ｂと庫内灯用凹部２８ｃの両側に上下に通して設けられ、吹出し間口３６を有する断面略円弧形状の凹部２８ａとが設けられている。なお、吹出し間口３６にはルーバー桟が取り付けられている。
【００２４】
図７〜１０に示すように、冷気ダクト２７の左右両側に冷気ダクト２７の風量を調節するとともに冷凍室２の温度調節用の一対のシャッター２９がダクトカバー２８に取り付けられ、シャッター２９を支持し、移動させる支持・移動機構である左右に棒状部材２９ａ
シャッター受け爪３０とシャッターガイドリブ３１が設けられている。
【００２５】
図１０（ａ）に示すように一対のシャッター２９は左右に棒状部材２９ａにて接続される一体成形品であり、基板収納部２０の下部中央部に配設され、棒状部材２９ａにシャッターの操作つまみである冷凍室温度調節つまみ２４が設けられている。また、シャッター２９の左右にわたる棒状部材２９ａが、図１０（ｂ）に示すようにダクトカバー２８に一体成形されたシャッター受け爪３０とシャッターガイドリブ３１により上下方向と奥行方向にて固定され、図７、図８に示すようにシャッター２９の棒状部材２９ａに設けられた冷凍室温度調節つまみ２４を左右に動かすことに連動してシャッター２９を冷気ダクト２７のシャッター移動用溝３２内で左右に移動させる。
【００２６】
なお、図１０（ａ）に示すシャッター２９は図１０（ｂ）に示すように冷凍室温度調節つまみ２４が前面方向に向け、冷凍室温度調節つまみ２４の反対側の冷凍室温度調節つまみ支持端部２４ａが背面側になるように取り付けている。
また、ダクトカバー２８には、冷蔵室温度調節ダイアル２３、冷凍室２の温度調節用のシャッター２９、冷凍室温度調節つまみ２４等の他に、温度センサー１５等が組み込まれている。
【００２７】
冷気ダクト２７は、冷蔵室３の内箱１２の奥部の基板収容部２０の両側部に上下方向に延設され、断面凹状のダクト本体３５と、このダクト本体３５の開口部を覆うように貼られた冷気ダクトシール材３７により形成されており、冷気ダクトシール材３７側が内箱１２の奥部の壁面に当接している。
【００２８】
次に、上記のように構成された実施の形態の冷蔵庫の動作について説明する。
冷却器２５で冷却された冷気の一部は送風機２６により、冷気ダクト２７の分岐部で２分流され左右の冷気ダクト２７に進み、冷気ダクト２７の左右に設けられたシャッター２９をシャッター２９の棒状部材２９ａに設けられた冷凍室温度調節つまみ２４を左右に動かし、シャッター２９により冷気の通過する面積を変えて、ダクトカバー２８の吹き出し間口３６から冷蔵室３内に吹出される冷気の量を変化させることにより、冷凍室２への冷気の量を変化させ、冷凍室２の温度調節を行なう。
このとき、冷気ダクト２７の吹出し間口３６は、基板収納部２０の左右に配設された凹部２８ａ内に設けられているので、電子制御基板９を冷却しながら冷気が凹部２８ａの面の垂直方向に吹出され、冷蔵室３を均一に冷却する。
【００２９】
冷蔵室３内を冷却した冷気は吸込ダクト（図示せず）を通って冷却器２５の下部に戻り、再び冷却されて冷蔵室３を循環する。なお、冷凍室２についても、冷凍室用ダクト（図示せず）を通じて送風機２６によって送風される冷却風の一部を送風、循環させている。
なお、本実施の形態では、冷蔵室３の風量調整にダンパーの代わりに冷気ダクト２７にシャッター２９を配置して風量調整をするとともに、冷蔵室３内の温度センサー１５の検出温度に基づいて冷却器５、送風機２６の運転を制御している。
【００３０】
以上のように、冷蔵庫本体１の下部に配設された冷凍室２と、この冷凍室２の上に配設された冷蔵室３と、冷蔵室３の奥壁部の左右方向略中央部に配設された電子制御基板９と、この電子制御基板９の左右両側にそれぞれ配設され、冷却器２５で冷却された冷気を送風機２６によって冷蔵室３に導く冷気送風ダクト２７と、電子制御基板９の前面を覆うようにして収納する凸状の基板収納凸部２８ｂを有し、冷気送風ダクト２７を覆うダクトカバーと、を備えたので、背面断熱材が低減され、内容積を大きくすることができる。
また、基板収納部２０の基板収納枠体４０の背面をシール材３８にて覆い、リード線１６の出口部に独立気泡のシーリングテープ１８を使用して基板収納部２０を密閉することにより、冷媒に炭化水素系を使用して、冷媒が洩れた場合でも基板収納部２０での炭化水素が発火濃度以下とすることができ、冷媒に炭化水素系を使用できる。
【００３１】
また、電子制御基板９奥側の内箱１２を凹ませることにより、基板収納部２０が庫内側への出っ張りを抑えることができ、内容積を大きくすることができる。
さらに、基板収納部２０を引き出しケース２１の上部に配置していることにより、引き出しケース２１の奥行きを大きくすることができる。
また、基板収納部２０の左右に冷気ダクト２７を配置したので電子制御基板９の冷却をよくすることができる。
また、基板収納部２０の基板収納凸部２８ｂの前側に５ｍｍほどの高さのリブ３９を設けたので、電子制御基板９の冷却効率を上げることができ、また、リブ３９により、表面温度が高くなる基板収納部２０と庫内に収納される食品が接触するのを防ぐことができる。
【００３２】
また、ダクトカバー２８は、冷気ダクト２７の風量を調節するシャッター２９と、このシャッター２９を支持し、移動させる支持・移動機構と、この支持・移動機構に設けられ、基板収納部２０の下部中央部に配設された冷凍室温度調節つまみ２４を備えたので、操作性を良くすることができる。
また、冷凍室温度調節つまみ２４を冷蔵室３の棚２２の上部に配置することにより、使いやすい高さに配置できるため、操作性がよいものとなる。
また、冷蔵室温度調節ダイアル２３を冷凍室温度調節つまみ２４の上部に配置することにより、温度調節を一箇所に集中させて、視認性を高めることができ、操作性のよいものとすることができる。
【００３３】
また、冷蔵室３の冷蔵室温度調節ダイアル２３を基板収納部２０の前面に配設し、冷蔵室温度調節ダイアル２３に接続されるボリューム１４を電子制御基板９に搭載したので、ボリューム１４をのせる別の基板が不要となり安価にすることができる。
【００３４】
また、基板収納部２０の上方に庫内灯７を配設し、基板収納部２０の上部に隣接して庫内灯７を覆う庫内灯カバー３４を配設したので、冷蔵室背面を一体感がある形状となり意匠性を高めることができる。
さらに、庫内灯カバー３４の左右の幅と基板収納部２０の左右の幅を合わせることで上下に連通した形状となり一体感がでて意匠性のよいものとなる。
また、庫内灯７と庫内灯カバー３４が冷蔵室３の背面中央上部に配置されることにより、冷蔵室３全体を照明することができる。
【００３５】
また、ダクトカバー２８は、基板収納部２０の上方に形成され、庫内灯７と庫内灯カバー３４が設けられる断面円弧形状の庫内灯用凹部２８ｃと、この庫内灯用凹部２８ｃと基板収納部２０の両側に上下に形成された断面円弧形状の凹部２８ａと、を備えたので、庫内灯カバー３４の側面からの光が断面円弧形状の２８ａにより反射され、間接光にて冷蔵室３内の照明を行なうことができる。
さらに、凹部２８ａが上下に通して配置されるので、庫内灯７からの光が凹部２８ａを通過して反射させることにより、庫内灯カバー３４のない下部を照明することができ、冷蔵室３全体を均一に照明することができる。
【００３６】
また、断面略円弧形状の凹部２８ａに冷気吹出し間口３６を設けたので、吹出し間口３６から冷蔵室３斜めに冷気が通過して、冷蔵室３を均一に冷却することができる。
また、冷気ダクト２７からの冷気を吹き出すダクトカバー２８の吹出し間口３６を凹部２８ａ内に配置することにより、冷気を凹部２８ａの面の垂直方向に吹出すことができ、冷蔵室３の後壁部の外側から中央側に冷気が吹き出されることになり、冷蔵室３内を均一に冷やすことができる。
【００３７】
また、ダクトカバー２８には、冷気ダクト２７、冷蔵室温度調節ダイアル２３、冷凍室２のシャッター２９、冷凍室温度調節つまみ２４等の他に、温度センサー１５等の主要部品が組み込まれているので、修理サービス時にダクトカバー２８を外すと同時に電子制御基板９、温度調節部、庫内照明装置、温度センサー１５、冷気ダクト２７を外すことができるので、庫外での修理作業が行なうことができ、作業性をよくすることができる。
また、ダクトカバー２８に多数の部品を組み込んだので部品点数の削減ができ安価にすることができる。
【００３８】
また、シャッター２９は冷気ダクト２７の前側より入っているので、シャッター部を取り外すことなく冷気ダクト２７を取り外すことができる。
また、冷気ダクト２７の背面に冷気通過部をおおう冷気ダクトシール材３７が貼られており、冷気が吹き出し間口３６以外から冷気がもれないようにしており、冷気ダクトシール材３７は薄いシート状であり組立て時に押しつぶされることがなく、取り外した後でも再度、冷気ダクト２７の冷気ダクトシール材３７を変更しなくても使用可能である。
【００３９】
上記のように、冷蔵室３の下部に配置した引き出しケース２１の上方の奥壁面の中央部に、電子制御基板９と電子制御基板９を収納する基板収納部２０が配設され、基板収納部２０前面に電子制御基板９のボリューム１４に接続され、冷蔵室３の温度調節を行なう冷蔵室温度調節ダイアル２３が配設され、この下に冷凍室２の温度調節を行なう風量調整用のシャッター２９を操作する冷凍室温度調節つまみ２４が配設され、さらに、基板収納部２０上部に庫内灯７と庫内灯カバー３４が配設されているので、庫内の容積を高めることができ、また、冷蔵室温度調節ダイアル２３及び冷凍室温度調節つまみ２４が集約され、操作性が向上し、庫内灯カバー３４と基板収納部２０を上下に配置する一体感により意匠性の向上が得られる。
【図面の簡単な説明】
【００４０】
【図１】この発明の実施の形態を示す冷蔵庫の正面図である。
【図２】この発明の実施の形態を示す冷蔵庫の冷蔵室内側から見た奥部の詳細正面図である。
【図３】図２におけるA−A断面図である。
【図４】図２におけるＢ−Ｂ断面図である。
【図５】この発明の実施の形態を示す冷蔵庫の基板収納部の斜視図である。
【図６】この発明の実施の形態を示す冷蔵庫の冷蔵室奥部のダクトカバーと取り付け部品等の斜視図である。
【図７】この発明の実施の形態を示す冷蔵庫の奥壁部を取り除いたときの背面斜視図である。
【図８】図７の要部拡大斜視図である。
【図９】図７の冷気ダクトと電子制御基板等を取り外したときの背面斜視図である。
【図１０】図７のシャッター取付け部の拡大斜視図である。
【符号の説明】
【００４１】
１  冷蔵庫本体、２  冷凍室、３  冷蔵室、７  庫内灯、９  電子制御基板、１２  内箱、１２ａ  凹部、１４  ボリューム、２０  基板収納部、２３  冷蔵室温度調節ダイアル、２５  冷却器、２６  送風機、２７  冷気ダクト、２８  ダクトカバー、２８ａ  凹部、２８ｂ  基板収納凸部、２８ｃ  庫内灯用凹部、２９  シャッター、３４  庫内灯カバー、３６  間口、３９  リブ、４０  基板収納枠体。
【図１】
0004509047.tif 000002
【図２】
0004509047.tif 000003
【図３】
0004509047.tif 000004
【図４】
0004509047.tif 000005
【図５】
0004509047.tif 000006
【図６】
0004509047.tif 000007
【図７】
0004509047.tif 000008
【図８】
0004509047.tif 000009
【図９】
0004509047.tif 000010
【図１０】
0004509047.tif 000011